(57)【要約】【課題】シール部材の部品点数を削減し、低コスト化することができるコネクタを提供する。【解決手段】壁部３に設けられた貫通孔５に挿入される第１嵌合部９を有する第１ハウジング１１と、第１ハウジング１１の外周に密着して設けられ貫通孔５に密着されて壁部３の一側と他側とを区画するシール部材１７とを備えたコネクタ１において、第１ハウジング１１が、収容孔２１が設けられたアウタハウジング２３と、収容孔２１を挿通する第１嵌合部９が設けられたインナハウジング２５とを有し、シール部材１７の収容孔２１と貫通孔５とに密着されて壁部３の一側と他側とを区画する第１シール部２７と、アウタハウジング２３とインナハウジング２５との互いの対向面に密着されてアウタハウジング２３とインナハウジング２５とを区画する第２シール部２９とを連続する一部材で形成した。【選択図】図５
2015088234.tif 000002
【特許請求の範囲】
【請求項１】
壁部に設けられた貫通孔に挿入される第１嵌合部を有する第１ハウジングと、この第１ハウジングの外周に密着して設けられ前記貫通孔に密着されて前記壁部の一側と他側とを区画するシール部材とを備えたコネクタであって、
前記第１ハウジングは、前記壁部に固定される固定部と前記貫通孔に向けて延設され前記貫通孔内に挿入されて前記貫通孔と連通する収容孔とが設けられたアウタハウジングと、このアウタハウジングの収容孔を挿通する前記第１嵌合部が設けられたインナハウジングとを有し、
前記シール部材は、前記収容孔と前記貫通孔とに密着されて前記壁部の一側と他側とを区画する第１シール部と、前記アウタハウジングと前記インナハウジングとの互いの対向面に密着されて前記アウタハウジングと前記インナハウジングとを区画する第２シール部とが連続する一部材で形成されていることを特徴とするコネクタ。
【請求項２】
請求項１記載のコネクタであって、
前記シール部材は、前記第１シール部と前記第２シール部とを連結し、前記貫通孔の端縁部に対向される対向部がテーパ面で形成されていることを特徴とするコネクタ。
【請求項３】
請求項１又は２記載のコネクタであって、
前記壁部の前記第１ハウジングが配置された反対側には、前記貫通孔から挿入される前記第１嵌合部と嵌合可能な第２嵌合部を有する第２ハウジングが配置されていることを特徴とするコネクタ。
【発明の詳細な説明】
【技術分野】
【０００１】
本発明は、コネクタに関する。
【背景技術】
【０００２】
従来、コネクタとしては、壁部に設けられた貫通孔に挿入される第１嵌合部としてのハウジング本体を有する第１ハウジングと、この第１ハウジングの外周に密着して設けられ貫通孔に密着されて壁部の一側と他側とを区画するシール部材とを備えたものが知られている（例えば、特許文献１参照）。
【０００３】
このコネクタでは、第１ハウジングが、壁部に固定される固定部としての支持部と貫通孔内に挿入されるハウジング本体とが一体に設けられたハウジングと、ハウジング本体の外周に配置され貫通孔とハウジング本体との間に配置されるスペーサとを有する。
【０００４】
このように構成されたコネクタでは、壁部の一側と他側とを区画するためにスペーサと貫通孔とに密着されるシール部材が設けられ、ハウジングとスペーサとを区画するためにハウジングとスペーサとのスペーサに対するハウジング本体の挿入方向の互いの対向面に密着されるシール部材が設けられている。
【先行技術文献】
【特許文献】
【０００５】
【特許文献１】特開２０１３−１３１４７４号公報
【発明の概要】
【発明が解決しようとする課題】
【０００６】
しかしながら、上記特許文献１のようなコネクタでは、取付部材の一側と他側との区画と、第１ハウジングのハウジングとスペーサとの区画とがそれぞれ別々のシール部材によって行われているので、部品点数が増加し、高コスト化していた。
【０００７】
そこで、この発明は、シール部材の部品点数を削減し、低コスト化することができるコネクタの提供を目的としている。
【課題を解決するための手段】
【０００８】
請求項１記載の発明は、壁部に設けられた貫通孔に挿入される第１嵌合部を有する第１ハウジングと、この第１ハウジングの外周に密着して設けられ前記貫通孔に密着されて前記壁部の一側と他側とを区画するシール部材とを備えたコネクタであって、前記第１ハウジングは、前記壁部に固定される固定部と前記貫通孔に向けて延設され前記貫通孔内に挿入されて前記貫通孔と連通する収容孔とが設けられたアウタハウジングと、このアウタハウジングの収容孔を挿通する前記第１嵌合部が設けられたインナハウジングとを有し、前記シール部材は、前記収容孔と前記貫通孔とに密着されて前記壁部の一側と他側とを区画する第１シール部と、前記アウタハウジングと前記インナハウジングとの互いの対向面に密着されて前記アウタハウジングと前記インナハウジングとを区画する第２シール部とが連続する一部材で形成されていることを特徴とする。
【０００９】
このコネクタでは、シール部材が、壁部の一側と他側とを区画する第１シール部と、アウタハウジングとインナハウジングとを区画する第２シール部とが連続する一部材で形成されているので、壁部の一側と他側との区画と、アウタハウジングとインナハウジングとの区画をそれぞれ別々のシール部材で行う必要がなく、部品点数を削減することができる。
【００１０】
従って、このようなコネクタでは、１つのシール部材によって壁部の一側と他側との区画と、アウタハウジングとインナハウジングとの区画を行うことができるので、シール部材の部品点数を削減し、低コスト化することができる。
【００１１】
請求項２記載の発明は、請求項１記載のコネクタであって、前記シール部材は、前記第１シール部と前記第２シール部とを連結し、前記貫通孔の端縁部に対向される対向部がテーパ面で形成されていることを特徴とする。
【００１２】
このコネクタでは、シール部材が、第１シール部と第２シール部とを連結し、貫通孔の端縁部に対向される対向部がテーパ面で形成されているので、貫通孔の端縁部とシール部材の対向部との接触による衝撃を緩和することができ、シール部材のシール面のめくれを防止してシール性を確保することができる。
【００１３】
請求項３記載の発明は、請求項１又は２記載のコネクタであって、前記壁部の前記第１ハウジングが配置された反対側には、前記貫通孔から挿入される前記第１嵌合部と嵌合可能な第２嵌合部を有する第２ハウジングが配置されていることを特徴とする。
【００１４】
このコネクタでは、壁部の第１ハウジングが配置された反対側に、貫通孔から挿入される第１嵌合部と嵌合可能な第２嵌合部を有する第２ハウジングが配置されているので、シール部材によって第１ハウジング側から第２ハウジング側への水などの侵入を防止することができる。
【発明の効果】
【００１５】
本発明によれば、シール部材の部品点数を削減し、低コスト化することができるコネクタを提供することができるという効果を奏する。
【図面の簡単な説明】
【００１６】
【図１】本発明の実施の形態に係るコネクタの分解斜視図である。
【図２】（ａ）は本発明の実施の形態に係るコネクタの第１ハウジングを組付けるときの斜視図である。（ｂ）は本発明の実施の形態に係るコネクタの斜視図である。
【図３】本発明の実施の形態に係るコネクタの第１ハウジングを組付けるときの断面図である。
【図４】（ａ）は本発明の実施の形態に係るコネクタの第１ハウジングを組付け途中の断面図である。（ｂ）は図４（ａ）の要部拡大図である。
【図５】（ａ）は本発明の実施の形態に係るコネクタの断面図である。（ｂ）は図５（ａ）の要部拡大図である。
【図６】本発明の実施の形態に係るコネクタの第１ハウジングの斜視図である。
【図７】本発明の実施の形態に係るコネクタの第１ハウジングの分解斜視図である。
【図８】（ａ）は本発明の実施の形態に係るコネクタのシール部材の斜視図である。（ｂ）は本発明の実施の形態に係るコネクタのシール部材の断面図である。
【図９】（ａ）は本発明の実施の形態に係るコネクタの第１ハウジングにシール部材を組付けたときの正面図である。（ｂ）は図９（ａ）の状態からシール部材が取付部材に対する第２ハウジングの位置ズレを吸収したときの正面図である。
【発明を実施するための形態】
【００１７】
図１〜図９を用いて本発明の実施の形態に係るコネクタについて説明する。
【００１８】
本実施の形態に係るコネクタ１は、壁部としての側壁３に設けられた貫通孔５に挿入される第１嵌合部９を有する第１ハウジング１１と、この第１ハウジング１１の外周に密着して設けられ貫通孔５に密着されて側壁３の一側と他側とを区画するシール部材１７とを備えている。
【００１９】
また、第１ハウジング１１は、側壁３に固定される固定部１９と貫通孔５に向けて延設され貫通孔５内に挿入されて貫通孔５と連通する収容孔２１とが設けられたアウタハウジング２３と、このアウタハウジング２３の収容孔２１を挿通する第１嵌合部９が設けられたインナハウジング２５とを有する。
【００２０】
そして、シール部材１７は、収容孔２１と貫通孔５とに密着されて側壁３の一側と他側とを区画する第１シール部２７と、アウタハウジング２３とインナハウジング２５との互いの対向面に密着されてアウタハウジング２３とインナハウジング２５とを区画する第２シール部２９とが連続する一部材で形成されている。
【００２１】
また、シール部材１７は、第１シール部２７と第２シール部２９とを連結し、貫通孔５の端縁部に対向される対向部３１がテーパ面で形成されている。
【００２２】
さらに、側壁３の第１ハウジング１１が配置された反対側には、貫通孔５から挿入される第１嵌合部９と嵌合可能な第２嵌合部１３を有する第２ハウジング１５が配置されている。
【００２３】
図１〜図８に示すように、壁部としての側壁３は、筐体状に形成された取付部材７の側壁となっている。このため、側壁３の一側と他側とは、取付部材７の外部側と内部側となっている。この取付部材７は、内部に機器（不図示）などが収容されている。
【００２４】
このような取付部材７の側壁３には、内部と外部とを貫通する貫通孔５が設けられている。この貫通孔５には、外部から第１ハウジング１１の第１嵌合部９が内部に向けて挿入される。
【００２５】
第１ハウジング１１は、アウタハウジング２３と、インナハウジング２５とからなる。アウタハウジング２３は、合成樹脂などの絶縁性材料からなり、菱形状に形成され、固定部１９と、収容孔２１とを備えている。
【００２６】
固定部１９は、アウタハウジング２３の両側にそれぞれ設けられ、ボルトが挿通されるボルト挿通孔からなる。この固定部１９は、第１ハウジング１１の第１嵌合部９と第２ハウジング１５の第２嵌合部１３とが嵌合した状態で、ボルトが挿通されて側壁３に締結することによってアウタハウジング２３が取付部材７の側壁３に固定される。
【００２７】
このように固定部１９を取付部材７に固定することにより、電線３９に引張力などの外力が加わったとしても、固定部１９で外力を吸収することができ、第１ハウジング１１の第１嵌合部９と第２ハウジング１５の第２嵌合部１３との嵌合への影響を抑制することができる。
【００２８】
収容孔２１は、アウタハウジング２３の中央部にアウタハウジング２３を貫通して設けられ、取付部材７の貫通孔５側に向けて開口端からアウタハウジング２３と連続する一部材で延設されている。
【００２９】
この収容孔２１は、アウタハウジング２３を取付部材７に取り付けた状態で、延設された部分が取付部材７の貫通孔５内に配置され、貫通孔５と連通される。このような収容孔２１の内部には、インナハウジング２５が収容される。
【００３０】
インナハウジング２５は、合成樹脂などの絶縁性材料からなり、筐体状に形成されてアウタハウジング２３の収容孔２１内に収容され、第１嵌合部９と、フランジ部３３とを備えている。
【００３１】
なお、インナハウジング２５には、アウタハウジング２３の収容孔２１の内面に撓み可能に設けられた係止アーム３５が係合可能な係合溝３７が嵌合方向に沿って設けられており、インナハウジング２５をアウタハウジング２３に組付けた状態でのインナハウジング２５の脱落が防止されている。
【００３２】
第１嵌合部９は、取付部材７の貫通孔５に挿入可能なように筐体状に形成され、第１嵌合部９よりアウタハウジング２３側の部分を収容孔２１内に収容することにより、収容孔２１の延設された部分より嵌合方向の前側に位置される。
【００３３】
この第１嵌合部９は、第１ハウジング１１と第２ハウジング１５とを嵌合させる際に、取付部材７の貫通孔５に挿入される。このような第１嵌合部９は、内部に箱状の接続部を有する雌端子からなる第１端子（不図示）が収容されている。
【００３４】
第１端子は、導電性材料からなり、機器や電源（不図示）などに接続された複数の電線３９の端末部に電気的に接続され、第１嵌合部９の内部に収容される。なお、第１端子が接続された電線３９には、電線３９の外周と第１嵌合部９の内周面とに密着し、第１嵌合部９の内部と外部とを区画するシール部材（不図示）が装着されている。
【００３５】
フランジ部３３は、インナハウジング２５の外周から外方に向けて周方向に連続する一部材で形成されている。また、フランジ部３３は、第１嵌合部９の外径より大径であると共に、取付部材７の貫通孔５に挿入可能な外径に設定されている。このフランジ部３３は、インナハウジング２５をアウタハウジング２３に組付けた状態で、アウタハウジング２３の収容孔２１の嵌合方向の端面と対向して配置される。
【００３６】
このような第１ハウジング１１の第１嵌合部９に収容された第１端子は、第１嵌合部９が取付部材７の貫通孔５に挿入され、第１嵌合部９が第２ハウジング１５の第２嵌合部１３と嵌合することにより、第２嵌合部１３内に収容された第２端子４３の接続部が挿入され、第１端子と第２端子４３とが電気的に接続される。
【００３７】
第２ハウジング１５は、合成樹脂などの絶縁性材料からなり、筐体状に形成され、一端側が開口され内部に第１ハウジング１１の第１嵌合部９が嵌合される第２嵌合部１３が設けられている。
【００３８】
この第２ハウジング１５は、電子部品（不図示）などが表面に実装された回路基板である基板４１の表面に載置され、ネジなどの固定部材（不図示）を介して基板４１に固定される。このような第２ハウジング１５の第２嵌合部１３内には、第２端子４３の接続部が配置される。
【００３９】
第２端子４３は、導電性材料からなり、Ｌ字状に形成され、一端側にタブ状に形成され第２嵌合部１３内に配置される接続部が設けられ、他端側に基板４１の導体部にはんだ付けなどを介して電気的に接続される基板接続部が設けられている。
【００４０】
このような第２端子４３を収容する第２ハウジング１５は、基板４１に組付けられた状態で、取付部材７内に収容される。この収容状態では、第２ハウジング１５の第２嵌合部１３の開口が取付部材７の貫通孔５に位置され、貫通孔５から第１ハウジング１１の第１嵌合部９を挿入することにより、第１嵌合部９と第２嵌合部１３とが嵌合され、第１端子と第２端子４３とが電気的に接続される。
【００４１】
このようなコネクタ１において、取付部材７と第１ハウジング１１との間及びアウタハウジング２３とインナハウジング２５との間には、取付部材７の外部と内部とを区画すると共に、アウタハウジング２３とインナハウジング２５との間、すなわちインナハウジング２５の内部と外部とを区画するシール部材１７が設けられており、取付部材７内やインナハウジング２５内への外部からの水などの侵入が防止されている。
【００４２】
シール部材１７は、ゴムなどの弾性材料からなり、環状に形成され、第１シール部２７と、第２シール部２９とを備えている。
【００４３】
第１シール部２７は、第１ハウジング１１のアウタハウジング２３の収容孔２１の延設された部分の外周に密着して装着される。また、第１シール部２７の外径は、取付部材７の貫通孔５の内径より大きく設定されている。
【００４４】
この第１シール部２７は、アウタハウジング２３の収容孔２１の延設された部分を取付部材７の貫通孔５に挿入することにより、外周面が貫通孔５の内周面に密着して配置される。この第１シール部２７の貫通孔５への組付けにより、取付部材７の内部と外部とが区画され、取付部材７と第１ハウジング１１との間のシール性が確保される。このような第１シール部２７には、連続する一部材で第２シール部２９が設けられている。
【００４５】
第２シール部２９は、収容孔２１の延設された部分の嵌合方向の端面に向けて第１シール部２７から連続する一部材で延設されている。このように第２シール部２９を設けることにより、第１シール部２７をアウタハウジング２３の収容孔２１の外周面に密着して装着した状態で、収容孔２１の嵌合方向の端面に位置される。
【００４６】
この第２シール部２９は、アウタハウジング２３とインナハウジング２５とを組付けた状態で、アウタハウジング２３の収容孔２１とインナハウジング２５のフランジ部３３との収容孔２１に対する第１嵌合部９の挿入方向の互いの対向面間に配置される。
【００４７】
このように配置された第２シール部２９は、第１ハウジング１１の第１嵌合部９と第２ハウジング１５の第２嵌合部１３との嵌合において、第１嵌合部９と第２嵌合部１３との嵌合方向の対向面が当接し、インナハウジング２５の嵌合方向への移動が規制されることにより、フランジ部３３によって収容孔２１側に向けて潰され、収容孔２１の端面とフランジ部３３とに密着される。
【００４８】
このような第２シール部２９の収容孔２１の端面とフランジ部３３との密着により、インナハウジング２５の内部と外部とが区画され、アウタハウジング２３とインナハウジング２５との間のシール性が確保される。
【００４９】
ここで、シール部材１７は、第１シール部２７と第２シール部２９とを連結し、貫通孔５の端縁部に対向される対向部３１がテーパ面で形成されている。この対向部３１は、シール部材１７が取付部材７の貫通孔５内に挿入されるときに、貫通孔５の端縁部との接触による衝撃をテーパ面によって緩和させる。
【００５０】
このようなテーパ面で形成された対向部３１によって、シール部材１７と貫通孔５の端縁部との接触による衝撃を緩和させることにより、第１シール部２７の収容孔２１の外周面からのシール面のめくれ、或いは第２シール部２９の収容孔２１の端面とフランジ部３３との間からのシール面のめくれを防止することができる。
【００５１】
一方、シール部材１７の第１シール部２７は、第１ハウジング１１と第２ハウジング１５との嵌合方向と直交する方向（図９（ａ）におけるＸ方向とＹ方向とで形成される平面方向）に対して、第１嵌合部９と第２嵌合部１３との調芯機能を有する。
【００５２】
例えば、第２ハウジング１５の第２嵌合部１３の開口が取付部材７の貫通孔５に対して嵌合方向と直交する方向に位置ズレして配置されている場合には、図９（ｂ）に示すように、シール部材１７の第１シール部２７の潰され量を変化させることにより、この方向への位置ズレを吸収することができる。
【００５３】
このようなコネクタ１では、シール部材１７が、取付部材７の内部と外部とを区画する第１シール部２７と、アウタハウジング２３とインナハウジング２５とを区画する第２シール部２９とが連続する一部材で形成されているので、取付部材７の内部と外部との区画と、アウタハウジング２３とインナハウジング２５との区画をそれぞれ別々のシール部材で行う必要がなく、部品点数を削減することができる。
【００５４】
従って、このようなコネクタ１では、１つのシール部材１７によって取付部材７の内部と外部との区画と、アウタハウジング２３とインナハウジング２５との区画を行うことができるので、シール部材の部品点数を削減し、低コスト化することができる。
【００５５】
また、シール部材１７は、第１シール部２７と第２シール部２９とを連結し、貫通孔５の端縁部に対向される対向部３１がテーパ面で形成されているので、貫通孔５の端縁部とシール部材１７の対向部３１との接触による衝撃を緩和することができ、シール部材１７のシール面のめくれを防止してシール性を確保することができる。
【００５６】
さらに、側壁３の第１ハウジング１１が配置された反対側には、貫通孔５から挿入される第１嵌合部９と嵌合可能な第２嵌合部１３を有する第２ハウジング１５が配置されているので、シール部材１７によって第１ハウジング１１側から第２ハウジング１５側への水などの侵入を防止することができる。
【００５７】
なお、本発明の実施の形態に係るコネクタでは、シール部材の第２シール部が収容孔の端面とフランジ部との間に配置されているが、これに限らず、第２シール部を収容孔の内周面まで延設させ、収容孔の内周面と第１嵌合部の外周面とに第２シール部を密着させてもよい。
【００５８】
また、第１ハウジングの固定部は、取付部材の側壁にボルトを介して固定されているが、これに限らず、接着手段、或いは係合手段などによって固定部を取付部材の側壁に固定させてもよい。
【符号の説明】
【００５９】
１…コネクタ
３…側壁（壁部）
５…貫通孔
９…第１嵌合部
１１…第１ハウジング
１３…第２嵌合部
１５…第２ハウジング
１７…シール部材
１９…固定部
２１…収容孔
２３…アウタハウジング
２５…インナハウジング
２７…第１シール部
２９…第２シール部
３１…対向部
【図１】
2015088234.tif 000003
【図２】
2015088234.tif 000004
【図３】
2015088234.tif 000005
【図４】
2015088234.tif 000006
【図５】
2015088234.tif 000007
【図６】
2015088234.tif 000008
【図７】
2015088234.tif 000009
【図８】
2015088234.tif 000010
【図９】
2015088234.tif 000011